【事件の表示】
　特願２００６−　９１８４５「シアターコントロール装置およびシアターコントロールシステム」拒絶査定不服審判事件〔平成１９年　５月１７日出願公開、特開２００７−１１７７０９〕について、次のとおり審決する。
【結　論】
　本件審判の請求は、成り立たない。
【理　由】
第１　手続の経緯・本願発明
１　本願は、平成１８年３月２９日（優先権主張平成１７年９月２９日）の出願であって、平成２１年６月２２日に手続補正がなされ、同年７月１６日日付けで拒絶査定がなされ、これに対して、同年１０月２１日に拒絶査定不服審判が請求されると同時に手続補正がなされたものである。
　　
２　本願の請求項１及び２に係る発明は、平成２１年１０月２１日付け手続補正後の特許請求の範囲、明細書及び図面の記載からみて、その特許請求の範囲の請求項１及び２に記載されたとおりの次のものと認める。
（１）「【請求項１】
　デジタル記録された本編コンテンツの指定、この本編コンテンツと共に１幕を構成する各種のコンテンツの指定、前記本編コンテンツと前記各種コンテンツの再生順序および再生開始条件、前記本編コンテンツと前記各種のコンテンツを再生出力する場合の上映機器および劇場設備機器の機器設定を１上映シーケンスデータとして登録可能な制御シーケンス設定装置と、
　前記制御シーケンス設定装置に登録された１上映シーケンスデータに基づいて制御対象機器に対する制御指示を制御インターフェースを介して出力するプログラム実行装置とを備え、
　前記上映機器には、少なくとも前記本編コンテンツの再生出力に関するデジタル機器が含められ、そのデジタル機器と別途に、前記各種のコンテンツに対応した再生出力に関する機器が選択的に含められるシアターコントロール装置。」（以下「本願発明１」という。）
　
（２）「【請求項２】
　前記１上映シーケンスデータに前記上映機器としてフィルム映写機の指定を登録可能とし、前記制御インターフェースにフィルム映写機を接続可能とした請求項１に記載のシアターコントロール装置。」（以下「本願発明２」という。）
　
第２　引用刊行物の記載事項
　原査定の拒絶の理由に引用された本願の優先日前に頒布された刊行物である特開２００３−２４９０３５号公報（以下「引用例」という。）には、次の事項が図とともに記載されている（下線は審決で付した。以下同じ。）。
　
１　「【請求項１】  配給元の
上映用コンテンツを
デジタルコンテンツデータ
【請求項２】  上記配給元の
上映用コンテンツには、本編のコンテンツの他に、予告編、ＣＭ、案内、インフォメーション、始めのアナウンス、終わりのアナウンス、チャイム、ＢＧＭのコンテンツを含む
　
２　「【請求項９】  配給元の上映用コンテンツを非公開のユニークなフォーマットで、デジタル方式の記録媒体に記録してなるシネマパッケージをカセット装着部に装填することができるアップロードマネージャと、
前記上映用コンテンツを蓄積し、所定のスクリーンに放映するシネマサーバと、
所定のスケジューリングに基づいてスクリーンに放映するための制御するサーバコマンダ
【請求項１０】  上記配給元の
上映用コンテンツには、本編のコンテンツの他に、予告編、ＣＭ、案内、インフォメーション、始めのアナウンス、終わりのアナウンス、チャイム、ＢＧＭのコンテンツを含む
　
３　「【０００２】
【従来の技術】現在、各種コンテンツの配信や配給がアナログ方式からデジタル方式へと切り替わりつつある。映画業界も例外ではない。従来、多くの映画館においては、３５ｍｍフィルムの形態で映画の配給を受け、その上映を行なっていた。又、一部の映画館においては、磁気テープにアナログ方式で記録された映画の配給を受け、その上映を行なっていた。しかし、フィルムによる配給は、フィルムの管理や上映のための作業に多くの労力を映画館側に要求する。具体的には、本編の上映期間中に行なわれる広告内容の切り替え作業、即ち、
映画フィルムと広告フィルムの組み合わせの変更に応じた切り取りとつなぎ合わせ作業、その他に過度の労力を要求する。
【０００３】
【発明が解決しようとする課題】しかしながら、現在行なわれているデジタル化された映画の配給は本編に限られている。例えば、
広告については依然としてフィルムにより配給されている。このため、予告編（審決注：「予告偏」は「予告編」の明らかな誤記なので修正して摘記した。）の上映や開始終了のアナウンスタイミング、広告の上映などを含めた上映単位全体での管理は従前のままであるという問題
　
４　「【００１８】その他の特徴として、現行のシネマシックシステムは、１スクリーン当り標準４台のＶＴＲを装備するが、新システムは、１台のシネマサーバで４スクリーンまで主力管理制御できる。又、現行シネマチックシステムでは、上映するコンテンツ順にベータカムテープをセットする必要があるが、
新システムは、どのコンテンツを何処のスクリーンに、どの順序で上映するかという「タイムテーブル」を画面上で設定する
　
５　「【００４３】シアター側には、アップロードマネージャ３２を備えた映画運営コントロール部３１と、
コンテンツをスケジュールに合わせて出力制御等する上映用サーバユニット３３
【００４４】
上映用サーバユニット３３は、
コンテンツを上映するときのスケジュールに従ってシネマサーバ３５からのコンテンツの送出の制御及び劇場での照明等の制御を司るサーバコマンダ３６とからなり、配給されてくるシネマパッケージ１９を再生すると共に、音響・照明などの上映施設の設備の制御を行う。
　
６　「【００４７】上映部３７は、シネマサーバ３５により複数の上映するスクリーン室が制御される構成になっており、それぞれのスクリーン室には、
サーバコマンダに接続するインターフェースユニット３８と、
【００４８】液晶プロジェクタ４２は、シネマサーバ３５から送られてくる映像信号（ＳＤＩ信号やＰＡＬ信号）をコンポーネント信号（輝度信号Ｙと色差信号Ｒ−Ｙ、Ｂ−Ｙ）などの光信号に変換してスクリーン４６に投射する機器である。」
　
７　「【００９３】又、
アップロードマネージャ３２にロードされたコンテンツに対して、上映するための番組編集及び編成作業を画面上で行なって
【００９４】画面上にて行なう番組編集及び編成作業は、図５に示すように、様々なコンテンツはフィルム、ビデオカセット、ＣＤやＭＤ等のディスクからＡＩＴテープ（シネマパッケージ１９）に収録され、この収録されている内容は、本編、予告編、ＣＭ、案内、インフォメーション、始めのアナウンス、終りのアナウンス、チャイム、ＢＧＭ、のデータからなる。
【００９５】
これらのデータからなるコンテンツは、シアター側のアップロードマネージャ３２において、番組編集する。
【００９６】
これら９種類の作品を画面上にて組み合わせて番組を生成する。
【００９７】
このようにして番組を作成した後に、この作成した番組を１日の興行単位で幾つかの番組で編成する番組編成を画面上で行なう。
【００９８】このようにして、
アップロードマネージャ３２で番組編集及び編成作業
編集及び編成された上映用コンテンツ
編集及び編成した情報がサーバコマンダ３６に送出する。
【００９９】そして、映画の自動上映のプログラム運用がスタートし、
設定された時間及び期間に、サーバコマンダ３６が上映部３７に指示を出し、自動的に設定されている映画を上映パターン（編集）に従って上映することができる
【０１００】
上映パターンは、
ひとつの番組時間に対して、９種類の作品の種類をＢＧＭ、インフォメーション、ＣＭ・案内、チャイム、始めのアナウンス、ＣＭ・案内、予告編、本編、終りのアナウンス、ＢＧＭ、という順序で実行する。
【０１０１】そして、各シネマサーバが記録したデータ（コンテンツ）を所定のスケジュールに則り、再生＝映画上映するのである。」
　
８　上記１ないし７から、引用例には、
「広告については依然としてフィルムにより配給され、予告編の上映や開始終了のアナウンスタイミング、広告の上映などを含めた上映単位全体での管理は従前のままであるという問題を解決するため、
　どのコンテンツを何処のスクリーンに、どの順序で上映するか設定され、　アップロードマネージャで上映するための番組編集及び編成作業が行われ、
　デジタルコンテンツデータの上映用コンテンツの編集及び編成した情報がサーバコマンダに送出され、
　上映用コンテンツには、本編のコンテンツの他に、予告編、ＣＭ、案内、インフォメーション、始めのアナウンス、終わりのアナウンス、チャイム、ＢＧＭのコンテンツが含まれ、
　設定された時間及び期間に、サーバコマンダが上映部に指示を出し、自動的に設定されている映画を上映パターン（編集）に従って上映することができ、
　上映パターンは、ひとつの番組時間に対して、９種類の作品の種類をＢＧＭ、インフォメーション、ＣＭ・案内、チャイム、始めのアナウンス、ＣＭ・案内、予告編、本編、終りのアナウンス、ＢＧＭ、という順序で実行するものであり、
　サーバコマンダはインターフェースユニットに接続され、
　サーバコマンダはコンテンツを上映するときのスケジュールに従ってシネマサーバからのコンテンツの送出の制御及び劇場での照明等の制御を司る、
アップロードマネージャ及びサーバコマンダ。」の発明（以下「引用発明」という。）が記載されているものと認められる。
　
第３　対比・判断
１　本願発明１について
（１）対比
　本願発明１と引用発明とを対比する。
　ア　引用発明の「『デジタルコンテンツデータの上映用コンテンツ』に含まれる『本編のコンテンツ』」、「『ひとつの番組に対して、』『ＢＧＭ、インフォメーション、ＣＭ・案内、チャイム、始めのアナウンス、ＣＭ・案内、予告編、』『終りのアナウンス、ＢＧＭ』『のコンテンツ』」、「９種類の作品の種類をＢＧＭ、インフォメーション、ＣＭ・案内、チャイム、始めのアナウンス、ＣＭ・案内、予告編、本編、終りのアナウンス、ＢＧＭ、という順序」及び「コンテンツを上映するときのスケジュールに従ってシネマサーバからのコンテンツの送出の制御及び劇場での照明等の制御」は、それぞれ、本願発明１の「デジタル記録された本編コンテンツ」、「本編コンテンツと共に１幕を構成する各種のコンテンツ」、「前記本編コンテンツと前記各種コンテンツの再生順序」及び「前記本編コンテンツと前記各種のコンテンツを再生出力する場合の上映機器および劇場設備機器の機器設定」に相当する。
　
　イ　引用発明は、「上映パターンは、ひとつの番組時間に対して、９種類の作品の種類をＢＧＭ、インフォメーション、ＣＭ・案内、チャイム、始めのアナウンス、ＣＭ・案内、予告編、本編、終りのアナウンス、ＢＧＭ、という順序で実行するものであ」り、ひとつの番組時間に対して、９種類の作品の種類を所定順序で上映するためには、上映パターンは再生順序に加え、再生開始条件を設定していることは明らかである。よって、引用発明の「デジタルコンテンツデータの上映用コンテンツ」「には、本編のコンテンツの他に、予告編、ＣＭ、案内、インフォメーション、始めのアナウンス、終わりのアナウンス、チャイム、ＢＧＭのコンテンツが含まれ、」「上映パターン（編集）は、ひとつの番組時間に対して、９種類の作品の種類をＢＧＭ、インフォメーション、ＣＭ・案内、チャイム、始めのアナウンス、ＣＭ・案内、予告編、本編、終りのアナウンス、ＢＧＭ、という順序で実行するものであ」る「上映用コンテンツの編集及び編成した情報」、「コンテンツを上映するときのスケジュールに従ってシネマサーバからのコンテンツの送出の制御及び劇場での照明等の制御」のデータは、本願発明１の「デジタル記録された本編コンテンツの指定、この本編コンテンツと共に１幕を構成する各種のコンテンツの指定、前記本編コンテンツと前記各種コンテンツの再生順序および再生開始条件、前記本編コンテンツと前記各種のコンテンツを再生出力する場合の上映機器および劇場設備機器の機器設定を１上映シーケンスデータ」に相当する。
　加えて、引用発明の「アップロードマネージャ」は、「上映するための番組編集及び編成作業が行われ」ており、さらに、引用発明の「サーバコマンダ」は、「デジタルコンテンツデータの上映用コンテンツの編集及び編成した情報がサーバコマンダに送出され、」「コンテンツを上映するときのスケジュールに従ってシネマサーバからのコンテンツの送出の制御及び劇場での照明等の制御を司」っていることから、引用発明の「上映用コンテンツの編集及び編成した情報」と「コンテンツの送出の制御及び劇場での照明等の制御」のデータを入れておくことが可能な「サーバコマンダ」及び「アップロードマネージャ」は、本願発明１の「１上映シーケンスデータ」を「登録可能な制御シーケンス設定装置」に相当し、さらに、引用発明の「上映部に指示を出し、自動的に設定されている映画を上映パターン（編集）に従って上映することができ」る「サーバコマンダ」は、本願発明１の「制御シーケンス設定装置に登録された１上映シーケンスデータに基づいて制御対象機器に対する制御指示を」「出力するプログラム実行装置」に相当する。
　また、引用発明の「アップロードマネージャ」及び「サーバコマンダ」は、本願発明１の制御シーケンス設定装置とプログラム実行装置とを備えた「シアターコントロール装置」に相当する。
　　
　ウ　引用発明の「本編のコンテンツ」を含む「上映用コンテンツ」は、「デジタルコンテンツデータ」であるので、「サーバコマンダが上映部に指示を出し、自動的に設定されている映画を上映パターン（編集）に従って上映することができ」る機器として、「少なくとも前記本編コンテンツの再生出力に関するデジタル機器が含められ」ることは明らかである。
　
　エ　上記アないしウからみて、本願発明１と引用発明とは、
「デジタル記録された本編コンテンツの指定、この本編コンテンツと共に１幕を構成する各種のコンテンツの指定、前記本編コンテンツと前記各種コンテンツの再生順序および再生開始条件、前記本編コンテンツと前記各種のコンテンツを再生出力する場合の上映機器および劇場設備機器の機器設定を１上映シーケンスデータとして登録可能な制御シーケンス設定装置と、
　前記制御シーケンス設定装置に登録された１上映シーケンスデータに基づいて制御対象機器に対する制御指示を出力するプログラム実行装置とを備え、
　前記上映機器には、少なくとも前記本編コンテンツの再生出力に関するデジタル機器が含められるシアターコントロール装置。」である点で一致し、本願発明１と引用発明とは、次の相違点１及び２で相違する。
　
相違点１：
　本願発明１においては、上映機器には少なくとも本編コンテンツの再生出力に関するデジタル機器と別途に、各種のコンテンツに対応した再生出力に関する機器が選択的に含められるのに対し、引用発明においては、上映機器には少なくとも本編のコンテンツの再生出力に関するデジタル機器と別途に、各種のコンテンツに対応した再生出力に関する機器が選択的に含められるのか明らかでない点。
　
相違点２：
　本願発明１においては、制御対象機器に対する制御指示を制御インターフェースを介して出力しているのに対し、引用発明においては、サーバコマンダはインターフェースユニットに接続されているものの、インターフェースユニットを介して制御対象機器に対する制御指示を出力しているのか明らかでない点。
　
（２）判断
　上記相違点１及び２について検討する。
　ア　相違点１について
　引用発明は、どのコンテンツを何処のスクリーンに、どの順序で上映するか設定されていることから、少なくとも本編のコンテンツの再生出力に関するデジタル機器と別途に、別のスクリーンに上映する各種コンテンツに対応した再生出力に関する機器を上映機器として選択的に含むようになすことは、当業者が適宜設定することにすぎず、よって、上記相違点１に係る本願発明１の構成となすことは、当業者が適宜設定する事項にすぎない。
　
　イ　相違点２について
　引用発明においては、サーバコマンダはインターフェースユニットに接続されており、加えて、設定された時間及び期間に、サーバコマンダが上映部に指示を出し、自動的に設定されている映画を上映パターン（編集）に従って上映することができることから、制御対象機器に対する制御指示をインターフェースユニットを介して出力するようになすことは、当業者が適宜設定することにすぎず、よって、上記相違点２に係る本願発明１の構成となすことは、当業者が適宜設定する事項にすぎない。
　
　ウ　効果について
　本願発明１の奏する効果は、引用発明から当業者が予測することができた程度のものである。
　
　エ　まとめ
　したがって、本願発明１は、当業者が引用発明に基づいて容易に発明をすることができたものである。
　
２　本願発明２について　
（１）対比
　本願発明２と引用発明とを対比する。
　本願発明２は、上記１で検討した本願発明１のシアターコントロール装置において、「前記１上映シーケンスデータに前記上映機器としてフィルム映写機の指定を登録可能とし、前記制御インターフェースにフィルム映写機を接続可能と」限定するものである。
　よって、本願発明２と引用発明とは、上記１（１）エの相違点１及び２に加え、さらに、次の相違点３で相違する。
　
相違点３：
　本願発明２においては、１上映シーケンスデータに、上映機器としてフィルム映写機の指定を登録可能とし、制御インターフェースにフィルム映写機を接続可能としたのに対し、引用発明においては、フィルム映写機を備えているのか明らかでない点。
　
（２）判断
　上記相違点１及び２については、上記１（２）に記載したとおり、当業者が引用発明に基づいて適宜設定する事項にすぎないので、上記相違点３について検討する。　
　ア　引用発明では、広告については依然としてフィルムにより配給される点についても考慮されており、また、フィルムをデジタル化せずに上映する場合に上映機器としてフィルム映写機を用いることは明らかである。
　
　イ　引用例の図６の上映パターンを示す説明図には、３５ｍｍ映写機が見て取れる。
　
　ウ　上記ア及びイからして、広告などフィルムにより配給されデジタル化されていない媒体をフィルム映写機を用い映写しなければならない場合には、上映機器としてフィルム映写機を用いるものと認められる。
　
　エ　引用発明は、設定された時間及び期間に、サーバコマンダが上映部に指示を出し、自動的に設定されている映画を上映パターン（編集）に従って上映することができるものであること、サーバコマンダは劇場での照明等の各種機器の制御を司ることができること、及び、上記ウから、サーバコマンダが上映部に指示を出し、各種機器を制御し自動的に上映するため、サーバコマンダに登録可能なひとつの番組に対応した各種データに、上映機器としてフィルム映写機の指定を登録可能とすることは、当業者が容易に想到し得る程度のことにすぎない。
　
　オ　また、上記１（２）イで検討したように制御対象機器に対する制御指示をインターフェースユニットを介して出力するようになすことは、当業者が適宜設定することであること、及び、上記ウから、インターフェースユニットにフィルム映写機をも接続可能とすることも、当業者が適宜設定する事項にすぎない。
　
　カ　上記エ及びオからして、引用発明において、サーバコマンダに登録可能なひとつの番組に対応した各種データに、上映機器としてフィルム映写機の指定を登録可能とし、インターフェースユニットにフィルム映写機を接続可能とすることは、当業者が容易に想到し得る程度のことにすぎず、よって、上記相違点３に係る本願発明２の構成となすことは、当業者が容易に想到し得る程度のことにすぎない。
　
　キ　効果について
　本願発明２の奏する効果は、引用発明から当業者が予測することができた程度のものである。
　
　ク　まとめ
　したがって、本願発明２は、当業者が引用発明に基づいて容易に発明をすることができたものである。
　
第４　むすび 
　以上のとおり、本願発明１及び２は、当業者が引用例に記載された発明に基づいて容易に発明をすることができたものであるから、特許法第２９条第２項の規定により特許を受けることができない。 
　よって、結論のとおり審決する。